【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
遊技媒体を貸し出す場合の有価価値の変換レートを変更可能であるとともに前記遊技媒体を用いて遊技を行う複数の遊技用装置を対象として、予め設定された撮影範囲内に位置する二以上の前記遊技用装置の周辺を撮影する通常撮影、又は前記撮影範囲内に位置する一の遊技装置の周辺を撮影する監視撮影の何れかで撮影を行うことが可能な複数の撮影手段と、
前記遊技用装置から遊技に関する遊技情報を収集して前記監視撮影をすべき監視イベントが前記遊技用装置に発生していることを判定可能な情報管理手段と、
前記情報管理手段によって前記監視イベントが発生したと判定された遊技用装置を撮影範囲に含む前記撮影手段に、当該遊技用装置周辺を所定時間監視撮影させる制御を行う撮影管理手段と、を備える遊技システムにおいて、
前記情報管理手段は、前記遊技用装置で前記変換レートが変更された場合に、前記監視イベントが発生したと判定して当該監視イベントが発生した遊技用装置を特定可能な特定情報、及び変更前後の前記変換レートに関する情報を含む監視イベント情報を生成する監視イベント情報生成手段と、
前記監視イベント情報生成手段により生成された前記監視イベント情報に含まれる前記特定情報に基づいて、前記監視イベントが発生した遊技用装置を撮影範囲に含む撮影手段を特定する撮影手段特定手段と、
前記監視イベント情報に含まれる前記変換レートに関する情報に基づいて、前記発生した監視イベントの重要度を設定する重要度設定手段と、
前記撮影手段特定手段により特定された撮影手段が、先の監視イベント情報に基づいて他の前記遊技用装置を前記監視撮影で撮影している場合に、前記先の監視イベントの重要度及び今回の監視イベントの重要度を比較して、どちらの監視イベント情報に基づく監視撮影を優先させるかを決定する監視撮影優先決定手段と、を備えたことを特徴とする遊技システム。
【請求項２】
前記重要度設定手段は、変更前後の前記変換レートの比較結果が大きいほど、前記重要度を高く設定し、
前記監視撮影優先決定手段は、前記今回の監視イベントの重要度が前記先の監視イベントの重要度よりも高い場合には、前記今回の監視イベント情報に基づく監視撮影を優先させると決定することを特徴とする請求項１に記載の遊技システム。
【請求項３】
前記遊技用装置は、遊技者が所有する情報記憶媒体の識別子を読み取り、前記読み取った前記情報記憶媒体の識別子を前記情報管理手段に出力するよう構成され、
前記監視イベント情報生成手段は、前記遊技用装置から収集した前記情報記憶媒体の識別子に基づいて、前記監視イベントが発生した遊技用装置で遊技を行う遊技者の信用度を示す信用情報を含む前記監視イベント情報を生成し、
前記重要度設定手段は、変更前後の前記変換レートの比較結果及び前記信用情報に基づいて、前記重要度を設定することを特徴とする請求項２に記載の遊技システム。
【請求項４】
前記重要度設定手段は、前記信用情報に基づいて、前記監視イベントが発生した遊技用装置で遊技を行う遊技者の信用度が低いと判定した場合には、前記遊技者の信用度が高い場合に設定される前記重要度よりも、前記重要度を高く設定し、
前記監視撮影優先決定手段は、前記今回の監視イベントの重要度が前記先の監視イベントの重要度よりも高い場合には、前記今回の監視イベント情報に基づく監視撮影を優先させると決定することを特徴とする請求項３に記載の遊技システム。
【請求項５】
前記遊技システムは、
前記撮影手段によって撮影された撮影データを記憶媒体に記憶させる撮影データ記憶手段と、
前記変換レートが変更された時点から所定時間が経過する前までの間において、遊技媒体が貸し出されていないにも関わらず、遊技に使用された遊技媒体の回収があった場合に、前記遊技用装置で遊技媒体が持ち込まれたと判定する持込判定手段と、
前記持込判定手段による判定結果に基づいて、前記撮影データ記憶手段が前記記憶媒体に記憶させる前記撮影データの画質レベルを設定する画質レベル設定手段と、を備え、
前記撮影データ記憶手段は、前記画質レベル設定手段により設定された画質レベルに基づく画質で前記撮影データを前記記憶媒体に記憶することを特徴とする請求項１〜４のいずれか一つに記載の遊技システム。
【請求項６】
前記画質レベル設定手段は、前記持込判定手段による判定結果、及び変更前後の前記変換レートの比較結果に基づいて、前記画質レベルを設定することを特徴とする請求項５に記載の遊技システム。
【請求項７】
前記画質レベル設定手段は、前記持込判定手段によって遊技媒体が持ち込まれたと判定された場合に設定される画質レベルを、遊技媒体が持ち込まれていないと判定された場合に設定される画質レベルよりも高い画質レベルに設定することを特徴とする請求項５又は６に記載の遊技システム。
【請求項８】
前記画質レベル設定手段は、変更前後の前記変換レートの比較結果が大きいほど、前記撮影データの画質レベルを高い画質レベルに設定することを特徴とする請求項６に記載の遊技システム。
【手続補正２】
【補正対象書類名】明細書
【補正対象項目名】００１３
【補正方法】変更
【補正の内容】
【００１３】
第１の発明は、遊技媒体を貸し出す場合の有価価値の変換レートを変更可能であるとともに前記遊技媒体を用いて遊技を行う複数の遊技用装置を対象として、予め設定された撮影範囲内に位置する二以上の前記遊技用装置の周辺を撮影する通常撮影、又は前記撮影範囲内に位置する一の遊技装置の周辺を撮影する監視撮影の何れかで撮影を行うことが可能な複数の撮影手段と、前記遊技用装置から遊技に関する遊技情報を収集して前記監視撮影をすべき監視イベントが前記遊技用装置に発生していることを判定可能な情報管理手段と、前記情報管理手段によって前記監視イベントが発生したと判定された遊技用装置を撮影範囲に含む前記撮影手段に、当該遊技用装置周辺を所定時間監視撮影させる制御を行う撮影管理手段と、を備える遊技システムにおいて、前記情報管理手段は、前記遊技用装置で前記変換レートが変更された場合に、前記監視イベントが発生したと判定して当該監視イベントが発生した遊技用装置を特定可能な特定情報、及び変更前後の前記変換レートに関する情報を含む監視イベント情報を生成する監視イベント情報生成手段と、前記監視イベント情報生成手段により生成された前記監視イベント情報に含まれる前記特定情報に基づいて、前記監視イベントが発生した遊技用装置を撮影範囲に含む撮影手段を特定する撮影手段特定手段と、前記監視イベント情報に含まれる前記変換レートに関する情報に基づいて、前記発生した監視イベントの重要度を設定する重要度設定手段と、前記撮影手段特定手段により特定された撮影手段が、先の監視イベント情報に基づいて他の前記遊技用装置を前記監視撮影で撮影している場合に、前記先の監視イベントの重要度及び今回の監視イベントの重要度を比較して、どちらの監視イベント情報に基づく監視撮影を優先させるかを決定する監視撮影優先決定手段と、を備えたことを特徴とする。
【手続補正３】
【補正対象書類名】明細書
【補正対象項目名】００１４
【補正方法】変更
【補正の内容】
【００１４】
第２の発明は、前記重要度設定手段は、変更前後の前記変換レートの比較結果が大きいほど、前記重要度を高く設定し、前記監視撮影優先決定手段は、前記今回の監視イベントの重要度が前記先の監視イベントの重要度よりも高い場合には、前記今回の監視イベント情報に基づく監視撮影を優先させると決定することを特徴とする。
【手続補正４】
【補正対象書類名】明細書
【補正対象項目名】００１５
【補正方法】変更
【補正の内容】
【００１５】
第３の発明は、前記遊技用装置は、遊技者が所有する情報記憶媒体の識別子を読み取り、前記読み取った前記情報記憶媒体の識別子を前記情報管理手段に出力するよう構成され、前記監視イベント情報生成手段は、前記遊技用装置から収集した前記情報記憶媒体の識別子に基づいて、前記監視イベントが発生した遊技用装置で遊技を行う遊技者の信用度を示す信用情報を含む前記監視イベント情報を生成し、前記重要度設定手段は、変更前後の前記変換レートの比較結果及び前記信用情報に基づいて、前記重要度を設定することを特徴とする。
【手続補正５】
【補正対象書類名】明細書
【補正対象項目名】００１６
【補正方法】変更
【補正の内容】
【００１６】
第４の発明は、前記重要度設定手段は、前記信用情報に基づいて、前記監視イベントが発生した遊技用装置で遊技を行う遊技者の信用度が低いと判定した場合には、前記遊技者の信用度が高い場合に設定される前記重要度よりも、前記重要度を高く設定し、前記監視撮影優先決定手段は、前記今回の監視イベントの重要度が前記先の監視イベントの重要度よりも高い場合には、前記今回の監視イベント情報に基づく監視撮影を優先させると決定することを特徴とする。
【手続補正６】
【補正対象書類名】明細書
【補正対象項目名】００１７
【補正方法】変更
【補正の内容】
【００１７】
第５の発明は、前記遊技システムは、前記撮影手段によって撮影された撮影データを記憶媒体に記憶させる撮影データ記憶手段と、前記変換レートが変更された時点から所定時間が経過する前までの間において、遊技媒体が貸し出されていないにも関わらず、遊技に使用された遊技媒体の回収があった場合に、前記遊技用装置で遊技媒体が持ち込まれたと判定する持込判定手段と、前記持込判定手段による判定結果に基づいて、前記撮影データ記憶手段が前記記憶媒体に記憶させる前記撮影データの画質レベルを設定する画質レベル設定手段と、を備え、前記撮影データ記憶手段は、前記画質レベル設定手段により設定された画質レベルに基づく画質で前記撮影データを前記記憶媒体に記憶することを特徴とする。
【手続補正７】
【補正対象書類名】明細書
【補正対象項目名】００１８
【補正方法】変更
【補正の内容】
【００１８】
第６の発明は、前記画質レベル設定手段は、前記持込判定手段による判定結果、及び変更前後の前記変換レートの比較結果に基づいて、前記画質レベルを設定することを特徴とする。
【手続補正８】
【補正対象書類名】明細書
【補正対象項目名】００１９
【補正方法】変更
【補正の内容】
【００１９】
第７の発明は、前記画質レベル設定手段は、前記持込判定手段によって遊技媒体が持ち込まれたと判定された場合に設定される画質レベルを、遊技媒体が持ち込まれていないと判定された場合に設定される画質レベルよりも高い画質レベルに設定することを特徴とする。
【手続補正９】
【補正対象書類名】明細書
【補正対象項目名】００２０
【補正方法】変更
【補正の内容】
【００２０】
第８の発明は、前記画質レベル設定手段は、変更前後の前記変換レートの比較結果が大きいほど、前記撮影データの画質レベルを高い画質レベルに設定することを特徴とする。
【手続補正１０】
【補正対象書類名】明細書
【補正対象項目名】００２５
【補正方法】変更
【補正の内容】
【００２５】
第５の発明によれば、遊技用装置周辺を撮影した撮影データを、画質レベルに基づく画質で記憶媒体に記憶するので、不正が行われている可能性の高い撮影データを高画質で、不正が行われている可能性の低い撮影データを低画質で記憶でき、記憶容量を抑えつつ、不正の検証等に有効な撮影データを記憶できる。
【手続補正１１】
【補正対象書類名】明細書
【補正対象項目名】００２６
【補正方法】変更
【補正の内容】
【００２６】
第６の発明によれば、持込判定手段による判定結果、及び変更前後の変換レートの比較結果に基づいて、画質レベルを設定するので、不正が行われている可能性に応じた画質レベルを正確に設定できる。
【手続補正１２】
【補正対象書類名】明細書
【補正対象項目名】００２７
【補正方法】変更
【補正の内容】
【００２７】
第７の発明によれば、持込判定手段によって遊技媒体が持ち込まれたと判定された場合に設定される画質レベルを、遊技媒体が持ち込まれていないと判定された場合に設定される画質レベルよりも高い画質レベルに設定するので、不正が行われている可能性の高い遊技用装置の周辺の撮影データを高画質で記憶できる。
【手続補正１３】
【補正対象書類名】明細書
【補正対象項目名】００２８
【補正方法】変更
【補正の内容】
【００２８】
第８の発明によれば、変更前後の変換レートの比較結果が大きいほど、撮影データの画質レベルを高い画質レベルに設定するので、不正が行われている可能性の高い遊技用装置の周辺の撮影データを高画質で記憶できる。